(57)【要約】【課題】盗難防止機能が付加されたヘルメットを提供する。【解決手段】ヘルメット本体２と、一端が上記ヘルメット本体２に取り付けられてなり、他端には一方の係合部６が形成されてなる一方のロック部材３と、上記ヘルメット本体２に取り付けられ又は該ヘルメット本体２に形成されてなり、上記一方の係合部６が係合される他方の係合部９を備えてなる他方のロック部材４と、上記一方の係合部６及び／又は上記他方の係合部９に取り付けられてなり、該一方の係合部６と該他方の係合部９とが係合した状態を保持するロック手段６ａ，６ｂ，９ａと、を備え、上記一方の係合部６と他方の係合部９とが係合することにより、上記ヘルメット本体２，一方のロック部材３及び他方のロック部材４により閉塞された空間が形成され、上記ロック手段６ａ，６ｂ，９ａにより該空間が保持されてなる。【選択図】図２
2007154351.tif 000002
【特許請求の範囲】
【請求項１】
ヘルメット本体と、
一端が上記ヘルメット本体に取り付けられてなり、他端には一方の係合部が形成されてなる一方のロック部材と、
上記ヘルメット本体に取り付けられ又は該ヘルメット本体に形成されてなり、上記一方の係合部が係合される他方の係合部を備えてなる他方のロック部材と、
上記一方の係合部及び／又は上記他方の係合部に取り付けられてなり、該一方の係合部と該他方の係合部とが係合した状態を保持するロック手段と、を備え、
上記一方の係合部と他方の係合部とが係合することにより、上記ヘルメット本体，一方のロック部材及び他方のロック部材により閉塞された空間が形成され、上記ロック手段により該空間が保持されることを特徴とするヘルメット。
【請求項２】
ヘルメット本体と、
一端が上記ヘルメット本体に取り付けられてなり、他端には一方の係合部が形成されてなる一方のロック部材と、
上記ヘルメット本体に取り付けられ又は該ヘルメット本体に形成されてなり、一方の係合部が係合される他方の係合部を備えてなる他方のロック部材と、
上記一方のロック部材の一端及び／又は上記他方のロック部材の一端に取り付けられてなり、該一方の係合部と該他方の係合部とが係合した状態を保持するロック手段と、を備
え、
上記一方の係合部と他方の係合部とが係合することにより、上記ヘルメット本体，一方のロック部材及び他方のロック部材により閉塞された空間が形成され、上記ロック手段により該空間が保持されることを特徴とするヘルメット。
【請求項３】
ヘルメット本体と、
両端それぞれに一方の係合部及び他方の係合部が形成されてなり、中途部が上記ヘルメット本体内に挿通する挿通ロック部材と、
上記一方の係合部及び／又は上記他方の係合部に取り付けられてなり、該一方の係合部と該他方の係合部とが係合した状態を保持するロック手段と、を備え、
上記一方の係合部と他方の係合部とが係合することにより、上記ヘルメット本体及びロック部材により閉塞された空間が形成され、上記ロック手段により該空間が保持されることを特徴とするヘルメット。
【請求項４】
前記一方のロック部材，他方のロック部材又は挿通ロック部材の少なくとも何れか一つは、一端と他端との間の中途部において、前記ヘルメット本体に対して係止可能とされてなることを特徴とする請求項１ないし３記載の何れかの記載のヘルメット。
【請求項５】
前記ヘルメット本体，一方のロック部材及び他方のロック部材、又は、前記ヘルメット本体及び挿通ロック部材との間に形成され閉塞された空間は、少なくとも使用者の手指を挿入可能な大きさとされることを特徴とする請求項１ないし４記載の何れかのヘルメット。
【発明の詳細な説明】
【技術分野】
【０００１】
本発明は、盗難防止機能が付加されたヘルメットに関するものである。
【背景技術】
【０００２】
従来より、オートバイの運転の際にヘルメットの着用が義務付けられており、また、自転車等に乗る際や、建築現場のように危険な区域内で作業する際のように、安全確保等の目的で使用者がヘルメットを着用する機会は多い。これらヘルメットは、通常は、盗難防止のために家屋内やロッカーの中で安全に保管することが多いが、特にオートバイ向けのヘルメットの場合には、旅行先や買い物先まで着用して移動することが多いことから、特に移動先での該ヘルメットの安全な保管の方法については工夫を要する。このため、スクーター等のようにボディの容積に余裕があるものは、該ボディ内にヘルメットを収容する空間を形成したものもある。しかし、通常のオートバイでは、このようなボディの余裕は無いため、使用者は、ヘルメットのあご紐を該オートバイのハンドルやフレーム、その他ボディの表面上に形成されたフック部材等に係合させることにより保管する。
【発明の開示】
【発明が解決しようとする課題】
【０００３】
しかしながら、オートバイには、ハンドルやフレームその他フック部材として用いることができる箇所は複数あり、これらの箇所にヘルメットを係合することはできるものの、このような箇所には係合の状態を維持するために施錠するロック手段が無いため、盗難を防ぐことができない。また、盗難防止のためのロック手段付きのフック部材がオートバイに用意されていることもあるが、そのような盗難防止のためのロック手段付きのフック部材が一つしか用意されていないことがあり、二人乗り等の場合には、二人分のヘルメットを保管することが難しい。また、ヘルメットを携帯しながらオートバイから離れる際、例えば、使用者がヘルメットを店舗内に持ち込むような場合には、使用者はヘルメットを身から離した際には、該ヘルメットのみを安全に保管することができない。
【０００４】
そこで、本発明は、上述した従来の技術が有する課題を解決するために提案されたものであって、盗難防止機能が付加されたヘルメットを提供することを目的とするものである。
【課題を解決するための手段】
【０００５】
本発明は、上記課題を解決するために提案されたものであって、第１の発明（請求項１記載の発明）は、ヘルメット本体と、一端が上記ヘルメット本体に取り付けられてなり、他端には一方の係合部が形成されてなる一方のロック部材と、上記ヘルメット本体に取り付けられ又は該ヘルメット本体に形成されてなり、上記一方の係合部が係合される他方の係合部を備えてなる他方のロック部材と、上記一方の係合部及び／又は上記他方の係合部に取り付けられてなり、該一方の係合部と該他方の係合部とが係合した状態を保持するロック手段と、を備え、上記一方の係合部と他方の係合部とが係合することにより、上記ヘルメット本体，一方のロック部材及び他方のロック部材により閉塞された空間が形成され、上記ロック手段により該空間が保持されることを特徴とするものである。
【０００６】
この第１の発明に係るヘルメット本体は、特に使用の目的や形状について限定されるものでは無い。すなわち、オートバイ運転時に着用されることを目的とするものであっても良く、工事現場等の危険な箇所での作業時の安全確保を目的に着用されるものであっても良い。また、どのような形状であっても良く、オートバイ用のヘルメットである場合には、いわゆるフルフェイス型でもジェット型でも良い。また、上記一方のロック部材は、一端が上記ヘルメット本体に取り付けられ、他端に一方の係合部が形成されてなるものであれば良く、また、他方のロック部材は、該一方のロック部材との係合がなされるものであれば、該一方のロック部材と同様に、一端が該ヘルメット本体に取り付けられ他端に他方の係合部が形成されて、該一端及び他端が互いに離間されてなるものであっても良く、或いは、該ヘルメット本体の表面上に直接他方の係合部が形成されてなるものとされても良い。なお、上記一方のロック部材及び他方のロック部材は、上記ヘルメット本体の盗難防止のために用いられるものであることから、該一方のロック部材及び他方のロック部材は容易に切断されることがない素材及び構成とされることが望ましい。このため、上記一方のロック部材の一端と他端との間の中途部としては、例えば、金属製のワイヤー，棒体，チェーン又は径の細い線状とされた金属からなる金属繊維を編み込んでなる帯体等や、或いは、特に切断等に対する強度が高いポリアミド等の石油化学樹脂等が適しており、この中途部は強固にヘルメット本体，一方の係合部又は他方の係合部に取り付けられている。また、上記一方のロック部材及び他方のロック部材は、該一方のロック部材の他端及び該他方のロック部材がそれぞれ一方の係合部及び他方の係合部を備え、これら一方の係合部及び他方の係合部は互いに係合した状態となり、また、これら一方の係合部と他方の係合部の何れか、或いは、これら一方の係合部と他方の係合部の双方は、上記の一方の係合部及び他方の係合部が互いに係合した状態を保持するロック手段を備えている。これら上記一方のロック部材及び他方のロック部材が備える一方の係合部及び他方の係合部は、これらが一体に係合するものであればどのような手段で係合するものであっても良いが、この係合によってヘルメット本体が盗難されることを防止することが目的であることから、ロック手段により必要な時に必要なだけ強固に係合がなされるものとされることが望ましい。このため、ロック手段としては、例えば、設定された番号に合わせることにより開錠する番号錠や、別体の鍵体の挿入及び回転動作により開錠するシリンダー錠が適している。また、上記一方のロック部材及び他方のロック部材は、上記ヘルメット本体，該一方のロック部材及び該他方のロック部材により形成され閉塞された空間の内部に他の部材を入れることによって該ヘルメット本体の盗難を防止するものであるため、該一方のロック部材及び他方のロック部材は、該閉塞された空間が内部に他の部材を入れられるような十分な大きさとされるものでなければならない。すなわち、この第１の発明に係るヘルメット本体をオートバイ用のヘルメットとする場合には、オートバイに付けられた上記フック部材やオートバイを構成するフレームが上記閉塞された空間内に入れられるようにされてなければならない。なお、上記一方のロック部材及び他方のロック部材は、上記閉塞された空間を形成する場合以外には不要なものであり、該ヘルメット本体を着用する等の際には、該一方のロック部材及び他方のロック部材は該ヘルメット本体内に収納されてなるものとしても良い。すなわち、上記一方のロック部材及び他方のロック部材の中途部としてワイヤーを用いる場合には、上記ヘルメット本体の内部に設けられたプーリ等に該ワイヤーを巻き取られるものとし、盗難防止のために上記閉塞された空間を形成する場合にのみ該ワイヤーを引き出すものとしても良い。また、上述したように、上記一方のロック部材及び他方のロック部材は、それぞれ一方の係合部及び他方の係合部を備えるとともに、これらが係合した状態を保持するロック手段を備えるものであればどのような形態であっても良く、一般的に使用者がヘルメットを着用する際に該ヘルメットを使用者の頭部に固定するために用いるいわゆるあご紐と機能を兼ねるものであっても良い。
【０００７】
また、第２の発明（請求項２記載の発明）は、ヘルメット本体と、一端が上記ヘルメット本体に取り付けられてなり、他端には一方の係合部が形成されてなる一方のロック部材と、上記ヘルメット本体に取り付けられ又は該ヘルメット本体に形成されてなり、上記一方の係合部が係合される他方の係合部を備えてなる他方のロック部材と、上記一方のロック部材の一端及び／又は上記他方のロック部材の一端に取り付けられてなり、該一方の係合部と該他方の係合部とが係合した状態を保持するロック手段と、を備え、上記一方の係合部と他方の係合部とが係合することにより、上記ヘルメット本体，一方のロック部材及び他方のロック部材により閉塞された空間が形成され、上記ロック手段により該空間が保持されることを特徴とするものである。
【０００８】
この第２の発明に係るヘルメット本体も、上記第１の発明と同様に、特に使用の目的や形状について限定されるものでは無く、オートバイ運転時に着用されることを目的とするものであっても良く、工事現場等の危険な箇所での作業時の安全確保を目的に着用されるものであっても良い。また、どのような形状であっても良く、オートバイ用のヘルメットである場合には、いわゆるフルフェイス型でもジェット型でも良い。また、上記一方のロック部材は、一端が上記ヘルメット本体に取り付けられ、他端に一方の係合部が形成されてなるものであれば良く、また、他方のロック部材は、該一方のロック部材との係合がなされるものであれば、該一方のロック部材と同様に、一端が該ヘルメット本体に取り付けられ他端に他方の係合部が形成されて、該一端及び他端が互いに離間されてなるものであっても良く、或いは、該ヘルメット本体の表面上に直接他方の係合部が形成されてなるものとされても良い。なお、上記一方のロック部材及び他方のロック部材は、上記ヘルメット本体の盗難防止のために用いられるものであることから、該一方のロック部材及び他方のロック部材は容易に切断されることがない素材及び構成とされることが望ましい。また、上記第１の発明では、上記一方のロック部材と上記他方のロック部材とが互いの係合した状態を保持するロック手段は、上記一方の係合部及び／又は上記他方の係合部に取り付けられてなるものであるのに対し、この第２の発明では、ロック手段が該一方のロック部材及び／又は該他方のロック部材の一端に取り付けられてなるものであることから、上記一方のロック部材の一端と他端との間の中途部としては、例えば、金属製の棒体のように、容易に切断することができず形状が変形しないものが適しており、この中途部は強固にヘルメット本体，一方の係合部又は他方の係合部と取り付けられている。また、上記一方のロック部材及び他方のロック部材は、該一方のロック部材の他端及び該他方のロック部材がそれぞれ一方の係合部及び他方の係合部を備え、これら一方の係合部及び他方の係合部は互いに係合した状態となり、また、上記一方のロック部材の一端と上記他方のロック部材の一端の何れか、或いは、上記一方のロック部材の一端と上記他方のロック部材の一端の双方は、上記の一方の係合部及び他方の係合部が互いに係合した状態を保持するロック手段を備えている。これら上記一方のロック部材及び他方のロック部材が備える一方の係合部及び他方の係合部は、これらが一体に係合するものであればどのような手段で係合するものであっても良いが、この係合によってヘルメット本体が盗難されることを防止することが目的であることから、ロック手段により必要な時に必要なだけ強固に係合がなされるものとされることが望ましい。このため、ロック手段としては、例えば、設定された番号に合わせることにより開錠する番号錠や、別体の鍵体の挿入及び回転動作により開錠するシリンダー錠が適している。また、上記一方のロック部材及び他方のロック部材は、上記ヘルメット本体，該一方のロック部材及び該他方のロック部材により形成され閉塞された空間の内部に他の部材を入れることによって該ヘルメット本体の盗難を防止するものであるため、該一方のロック部材及び他方のロック部材は、該閉塞された空間が内部に他の部材を入れられるような十分な大きさとされるものでなければならない。すなわち、この第２の発明に係るヘルメット本体をオートバイ用のヘルメットとする場合には、オートバイに付けられた上記フック部材やオートバイを構成するフレームが上記閉塞された空間内に入れられるようにされてなければならない。なお、上記一方のロック部材及び他方のロック部材は、上記閉塞された空間を形成する場合以外には不要なものであり、該ヘルメット本体を着用する等の際には、該一方のロック部材及び他方のロック部材は該ヘルメット本体内に収納されてなるものとしても良い。また、上述したように、上記一方のロック部材及び他方のロック部材は、それぞれ一方の係合部及び他方の係合部を備えるとともに、これらが係合した状態を保持するロック手段を備えるものであればどのような形態であっても良く、一般的に使用者がヘルメットを着用する際に該ヘルメットを使用者の頭部に固定するために用いるいわゆるあご紐と機能を兼ねるものであっても良い。
【０００９】
また、第３の発明（請求項３記載の発明）は、ヘルメット本体と、両端それぞれに一方の係合部及び他方の係合部が形成されてなり、中途部が上記ヘルメット本体内に挿通する挿通ロック部材と、上記一方の係合部及び／又は上記他方の係合部に取り付けられてなり、該一方の係合部と該他方の係合部とが係合した状態を保持するロック手段と、を備え、上記一方の係合部と他方の係合部とが係合することにより、上記ヘルメット本体及びロック部材により閉塞された空間が形成され、上記ロック手段により該空間が保持されることを特徴とするヘルメット。
【００１０】
この第３の発明に係るヘルメット本体も、上記第１及び第２の発明と同様に、特に使用の目的や形状について限定されるものでは無く、オートバイ運転時に着用されることを目的とするものであっても良く、工事現場等の危険な箇所での作業時の安全確保を目的に着用されるものであっても良い。また、どのような形状であっても良く、オートバイ用のヘルメットである場合には、いわゆるフルフェイス型でもジェット型でも良い。また、上記挿通ロック部材は、中途部が上記ヘルメット本体内を挿通し、両端それぞれに一方の係合部及び他方の係合部が形成されてなるものであれば、どのような構成からなるものであっても良い。なお、上記一方のロック部材及び他方のロック部材は、上記ヘルメット本体の盗難防止のために用いられるものであることから、該一方のロック部材及び他方のロック部材は容易に切断されることがない素材及び構成とされることが望ましい。このため、この第３の発明の挿通ロック部材の中途部としては、例えば、金属製のワイヤー，チェーン又は径の細い線状とされた金属からなる金属繊維を編み込んでなる帯体等や、或いは、特に切断等に対する強度が高いポリアミド等の石油化学樹脂等のように、容易に切断することができず、かつ、形状が容易に変更できるものが適しており、この中途部はヘルメット本体内に挿通されている。また、上記挿通ロック部材は、両端それぞれに一方の係合部及び他方の係合部を備え、これら一方の係合部及び他方の係合部は互いに係合した状態となり、また、該一方の係合部及び該他方の係合部が互いに係合した状態を保持するロック手段を備えている。これら一方の係合部及び他方の係合部は、これらが一体に係合するものであればどのような手段で係合するものであっても良いが、この係合によってヘルメット本体が盗難されることを防止することが目的であることから、ロック手段により必要な時に必要なだけ強固に係合がなされるものとされることが望ましい。このため、ロック手段としては、例えば、設定された番号に合わせることにより開錠する番号錠や、別体の鍵体の挿入及び回転動作により開錠するシリンダー錠を用いることができる。また、上記一方のロック部材及び他方のロック部材は、上記ヘルメット本体，該一方のロック部材及び該他方のロック部材により形成され閉塞された空間の内部に他の部材を入れることによって該ヘルメット本体の盗難を防止するものであるため、該一方のロック部材及び他方のロック部材は、該閉塞された空間が内部に他の部材を入れられるような十分な大きさとされるものでなければならない。すなわち、この第３の発明に係るヘルメット本体をオートバイ用のヘルメットとする場合には、オートバイに付けられた上記フック部材やオートバイを構成するフレームが上記閉塞された空間内に入れられるようにされてなければならない。なお、上記一方のロック部材及び他方のロック部材は、上記閉塞された空間を形成する場合以外には不要なものであり、該ヘルメット本体を着用する等の際には、該一方のロック部材及び他方のロック部材は該ヘルメット本体内に収納されてなるものとしても良い。また、上述したように、上記挿通ロック部材は、それぞれ一方の係合部及び他方の係合部を備えるとともに、これらが係合した状態を保持するロック手段を備えるものであればどのような形態であっても良く、一般的に使用者がヘルメットを着用する際に該ヘルメットを使用者の頭部に固定するために用いるいわゆるあご紐と機能を兼ねるものであっても良い。
【００１１】
また、第４の発明（請求項４記載の発明）は、第１ないし第３の発明において、前記一方のロック部材，他方のロック部材又は挿通ロック部材の少なくとも何れか一つは、一端と他端との間の中途部において、前記ヘルメット本体に対して係止可能とされてなることを特徴とするものである。
【００１２】
なお、上記一方のロック部材，他方のロック部材又は挿通ロック部材の中途部でのヘルメット本体への係止の方法としては、一端が上記ヘルメット本体の表面上に固定され、他端が該ヘルメット本体の表面上に着脱可能とされた帯体を設け、該帯体の一端と他端の間に上記の一方のロック部材，他方のロック部材又は挿通ロック部材を位置させ、この状態で該帯体の他端を該ヘルメット本体上に取り付け、これにより該一方のロック部材，他方のロック部材又は挿通ロック部材を該ヘルメット本体に対して係止させるものとしても良い。また、他の例としては、プラスチック等の弾性素材からなり、一部が上記ヘルメット本体の表面上に取り付けられ、これより２本の把持部が対向して起立してなり、該２本の把持部の間に上記中途部が把持されることにより、該中途部が該ヘルメット本体に対して係止可能とされてなるものとしても良い。
【００１３】
また、第５の発明（請求項５記載の発明）は、第１ないし第４の発明において、前記ヘルメット本体，一方のロック部材及び他方のロック部材、又は、前記ヘルメット本体及び挿通ロック部材との間に形成され閉塞された空間は、少なくとも使用者の手指を挿入可能な大きさとされることを特徴とするものである。
【００１４】
上述の通り、上記第１ないし第４の発明では、上記ヘルメット本体，一方のロック部材及び他方のロック部材により、又は、該ヘルメット本体及び挿通ロック部材により、閉塞された空間を形成し、該閉塞された空間内に他の部材を挿通することにより、該ヘルメット本体の盗難防止をするものであることから、該第１ないし第４の発明にいう該閉塞された空間の大きさは、該他の部材が挿通可能とされてなるものであれば十分である。しかし、この第５の発明では、該閉塞された空間内に、使用者の手指を挿入可能な大きさとされている。なお、上記空間の内周面の表面を、この閉塞された空間内に使用者が手指を挿入した際の該手指が把持するのに適した波面状に成形しても良く、又は、該手指により把持される箇所に該手指との摩擦が大きくなされる素材からなる部材を貼付しても良く、或いは、該手指により把持される箇所に弾力性がある素材からなる部材を貼付しても良い。
【発明の効果】
【００１５】
第１の発明（請求項１記載の発明）に係るヘルメットでは、使用者は、該ヘルメットを保管したい箇所の近傍に位置させ、上記一方のロック部材と上記他方のロック部材とを上記一方の係合部と上記他方の係合部とにより互いに係合させ、この係合の状態をロック手段により保持することにより、上記ヘルメット本体，一方のロック部材及び他方のロック部材により閉塞された空間を形成することができる。このように閉塞された空間を形成することにより、このヘルメットは、該閉塞された空間内に他の部材を入れることにより、盗難を防止して安全に保管することができる。すなわち、上記閉塞された空間内に入れた部材としてオートバイに形成されたフック部材を用いた場合には、上記ヘルメットはオートバイに対して取り付けられるかたちとなり、盗難を防止して安全に保管することができる。さらに、このように上記閉塞された空間内に入れる部材としては、オートバイに形成されたフック部材に限定されるものではなく、例えば、電信柱，駐輪場・駐車場を構成する柱体、或いは、家屋や店舗内に設置された柱体や部材等のようなものであっても良く、これらの部材や柱体を該閉塞された空間内に入れた状態でロック部材により一方のロック部材及び他方のロック部材とを係合した状態を保持することにより、上記ヘルメットは盗難を防止されて安全に保管することができる。
【００１６】
第２の発明（請求項２記載の発明）に係るヘルメットでも、上記第１の発明と同様に、使用者は、該ヘルメットを保管したい箇所の近傍に位置させ、上記一方のロック部材と上記他方のロック部材とを上記一方の係合部と上記他方の係合部とにより互いに係合させ、この係合の状態をロック手段により保持することにより、上記ヘルメット本体，一方のロック部材及び他方のロック部材により閉塞された空間を形成することができる。このように閉塞された空間を形成することにより、このヘルメットは、該閉塞された空間内に他の部材を入れることにより、盗難を防止して安全に保管することができる。
【００１７】
第３の発明（請求項３記載の発明）に係るヘルメットでも、上記第１及び第２の発明と同様に、使用者は、該ヘルメットを保管したい箇所の近傍に位置させ、上記挿通ロック部材の上記一方の係合部と上記他方の係合部とにより互いに係合させ、この係合の状態をロック手段により保持することにより、上記ヘルメット本体及び挿通ロック部材により閉塞された空間を形成することができる。このように閉塞された空間を形成することにより、このヘルメットは、該閉塞された空間内に他の部材を入れることにより、盗難を防止して安全に保管することができる。
【００１８】
第４の発明（請求項４記載の発明）に係るヘルメットでは、上記一方のロック部材，他方のロック部材又は挿通ロック部材をヘルメット本体に対して係止することができる。すなわち、本発明のヘルメットは、上記一方のロック部材，他方のロック部材又は挿通ロック部材により盗難を防止して安全に保管することができるものであるが、使用者がこのヘルメットを着用する時のように、安全に保管する時以外には、該一方のロック部材，他方のロック部材又は挿通ロック部材は、使い道が無い。したがって、上記ヘルメット本体を安全に保管する時以外では、上記一方のロック部材，他方のロック部材又は挿通ロック部材は邪魔なものとなるばかりか、時には使用者の体に当接する等により危険を及ぼすことすらある。これに対し、本発明では、上記のように上記一方のロック部材，他方のロック部材又は挿通ロック部材は、保管等に使用しない場合にはヘルメット本体に係止することが可能であって邪魔にならない。
【００１９】
第５の発明（請求項５記載の発明）に係るヘルメットでは、前記ヘルメット本体，一方のロック部材及び他方のロック部材、又は、前記ヘルメット本体及び挿通ロック部材との間に形成され閉塞された空間は、少なくとも使用者の手指を挿入可能な大きさとされる。このため、使用者は、本発明に係るヘルメットを着用せず、また、上記一方のロック部材，他方のロック部材及び挿通ロック部材により該ヘルメットを盗難を防止して保管せずに持ち歩くような際には、上記閉塞された空間内に自己の手や指を挿入して持ち運びをすることができる。すなわち、ヘルメット本体は一般に曲面状（球面状）の外形であることから、滑りやすく把持し難く持ち運びがしづらく、このため、使用者はヘルメットをあご紐を把持して持ち運ぶことが多い。しかし、上記あご紐はヘルメットに対して遊離するものであることから、あご紐を把持して持ち運ぶ場合には該ヘルメットが大きく振動することが多く不安定であり、持ち運びし難い。これに対して、本発明に係るヘルメットでは、上記一方のロック部材，他方のロック部材又は挿通ロック部材がヘルメット本体に対して取り付けられてなるとともに、特に該あご紐に比べて該ヘルメットに対してより強固に取り付けられてなるものであることから、使用者は該ヘルメットの振動が小さくより安定した状態で持ち運びをすることができる。
【発明を実施するための最良の形態】
【００２０】
以下、本発明に係る最良の実施の形態に係るヘルメットについて、図面を参照しながら詳細に説明する。
【００２１】
この実施の形態に係るヘルメット１は、図１及び図２に示すようにオートバイ運転時に着用するヘルメットであって、ヘルメット本体２と、該ヘルメット本体２の右側面に位置する一方のロック部材３と、該ヘルメット本体２の左側面に位置する他方のロック部材４と、を備える。上記ヘルメット本体２は、バイザー２ａや首当て部２ｂ等を有する通常のオートバイ運転時に着用するヘルメットと同様な構成からなるものである。また、上記一方のロック部材３は、金属製ワイヤー５と、一方の数字錠６と、を備える。上記金属製ワイヤー５の一端は、上記ヘルメット本体２の右側面に該ヘルメット本体２の正面側に向けて形成された開口７内に入れられており、また、該金属製ワイヤー５の他端は、上記一方の数字錠６に強固に連結されている。また、上記他方のロック部材４は、上記一方のロック部材３と同様に、金属製ワイヤー８と、他方の数字錠９と、を備える。上記金属製ワイヤー８の一端は、上記ヘルメット本体２の左側面に該ヘルメット本体２の正面側に向けて形成された開口１０内に入れられており、また、該金属製ワイヤー８の他端は、上記他方の数字錠９に強固に連結されている。上記金属製ワイヤー５，８，一方の数字錠６及び他方の数字錠９は、何れも自転車等の施錠や固定に一般的に用いられている数字錠と同様なものである。すなわち、上記金属製ワイヤー５，８は、径の細い金属線が多数束ねられてなるものであって、自在に折り曲げや巻取ができる形状の柔軟さと、容易に切断することができない強靭さとを備えている。また、上記の一方の数字錠６は、上記金属製ワイヤー５が溶接等により強固に固定される一端面とは反対側の他端面側にシリンダー開口６ａが形成され、また、側面は数字が書された４つの円環体６ｂ（図中では、数字は省略する。）が表れており、該円環体６ｂに書された数字が所定の組み合わせとされた場合にのみ、該シリンダー開口６ａ内に後述する他方の数字錠９が備えるシリンダー９ａの着脱が可能な状態となる。また、上記の他方の数字錠９は、上記金属製ワイヤー８が溶接等により強固に固定される端面部上に、円棒に多数の凹凸が付されてなるシリンダー９ａが形成されており、上述の通り、該シリンダー９ａは上記一方の数字錠６のシリンダー開口６ａ内に着脱可能とされている。なお、上記一方の数字錠６のシリンダー開口６ａ内に他方の数字錠９のシリンダー９ａを挿入することで該一方の数字錠６と他方の数字錠９とは係合した状態となり、この状態で上記円環体６ｂを適宜回転して、該円環体６ｂの数字を上記の所定の組み合わせとは異なる数字となった状態とすることにより、上記の係合の状態を保持した状態となり、この場合、ヘルメット本体２，一方のロック部材３及び他方のロック部材４により、閉塞された空間を形成する。
【００２２】
また、上記の開口７は、上記ヘルメット本体２の右側面上に該ヘルメット本体２の正面側に向いて略円筒状に形成された膨出部７ａの先端に位置しており、上述の通り、該開口７を介して該ヘルメット本体２内に上記金属製ワイヤー５の一端が入っている。なお、上記ヘルメット本体２内部の開口７近傍には、図示しないプーリが図示しない回転軸により回転可能に配置されており、上記金属製ワイヤー５の一端は該プーリに固定されており、該プーリの回転により該金属製ワイヤー５は巻き取られる。また、上記の図示しないプーリには、上記金属製ワイヤー５を巻き取る向きに回転するよう付勢する図示しない付勢部材が付されている。更に、上記プーリには、上記付勢部材による回転は防ぐが、使用者が上記金属製ワイヤー５を上記ヘルメット本体２内から引き出すことによる回転は妨げないように、一方向への回転のみを防ぐ逆止状の係止部材が係止されており、また、該係止部材は、巻き取りボタン１１の操作により、一方向への回転を防ぐための係止の状態を解除することができる。なお、上記一方の数字錠９の直径は上記開口７の直径（内径）よりも大きいものとされていることから、上記金属製ワイヤー５が全て上記ヘルメット本体２内に巻き取られた状態であっても、該開口７内に該一方の数字錠９が入ることはなく、図１（ｂ）に示すように該一方の数字錠９は該開口７の直前に位置する。したがって、使用者は、上記の図示しない付勢部材による付勢力に抗しつつ上記一方の数字錠９を上記金属製ワイヤー５とともに引き出すことができ、また、このようにして引き出された該金属製ワイヤー５は、上記係止部材が係止することにより、上記開口７から引き出された状態を保ち、また、使用者が該係止部材の係止状態を解除する巻き取りボタン１１を操作した場合には、このように引き出された該金属製ワイヤー５は、上記付勢部材の付勢力により上記の図示しないプーリが回転することにより、該プーリに巻き取られる。なお、このように上記開口７を介して上記ヘルメット本体２内から上記金属製ワイヤー５を引き出すことが可能であり、上記巻き取りボタン１１の操作により該金属製ワイヤー５は巻き取られて該ヘルメット本体２内に収納されるものであるが、これは上記開口１０についても同様であって、該開口１０を介して上記ヘルメット本体２内から上記金属製ワイヤー８を引き出すことが可能であり、上記巻き取りボタン１２の操作により該金属製ワイヤー８は巻き取られて該ヘルメット本体２内に収納される。なお、上記金属製ワイヤー５，８は、本発明を構成する中途部であり、一方の数字錠６は、本発明を構成する一方の係合部であり、他方の数字錠９は、本発明を構成する他方の係合部であるとともに、これら一方の数字錠６及び他方の数字錠９は、本発明を構成するロック手段でもある。
【００２３】
次に、以上の構成からなるヘルメット１を盗難を防止して安全に保管する方法について説明する。先ず、使用者はヘルメット１を保管する場所近傍に位置させる。そして、使用者は、上記一方の数字錠６及び他方の数字錠９を上記の図示しない付勢部材の付勢力に抗しつつ上記ヘルメット１から引き出し、金属製ワイヤー５，８を伸ばし、上記のヘルメット１を保管する場所に形成されているフック部材Ｆ内に該金属製ワイヤー５，８の何れかを挿通させる。そして、使用者は上記一方の数字錠６の４つの円環体６ｂを回転させて数字を合わせて開錠状態とし、上記他方の数字錠９のシリンダー９ａを該一方の数字錠６のシリンダー開口６ａ内に挿通させて係合させ、次いで該円環体６ｂを任意に回転させることにより、該一方の数字錠６と該他方の数字錠９とを施錠状態とする。このような手段により、上記ヘルメット１の必要な場所での盗難を防止した状態での保管を完了する。なお、このように保管された状態において、上記金属製ワイヤー５，８に遊びが生じる等のヘルメット本体２内から引き出して伸ばした該金属製ワイヤー５，８の長さが長すぎるような場合には、上記巻き取りボタン１１，１２を操作することにより、該金属製ワイヤー５，８を該金属製ワイヤー５，８を巻き取ることができ、長さの調節をしてもよい。また、ここでヘルメット１の保管に用いたフック部材Ｆとしては、Ｕ字状に屈曲した棒状体を図２中に示しているが、フック部材Ｆはこのようなものに限られるものではなく、オートバイのフレーム，家屋や店舗や駐輪場の建屋を構成する柱体或いは電信柱等でも良く、上記のように金属製ワイヤー５，８を通したり巻回したりすることができ、かつ、地面や建物に強固に固定されているものであればどのようなものでも上記のフック部材Ｆと同様に扱っても良い。また、このような方法により保管するヘルメット１の保管を終える際には、使用者は上記一方の数字錠６の４つの円環体６ｂを回転させて所定の数字に合わせて開錠状態とし、他方の数字錠９のシリンダー９ａを該一方の数字錠６のシリンダー開口６ａ内から取り出す。これにより、ヘルメット１は、上記フック部材Ｆへの保管を終え、使用者は上記巻き取りボタン１１，１２を操作して金属製ワイヤー５，８を巻き取る。なお、保管をする場合以外にも、上述のように金属製ワイヤー５，８を適宜引き出し、該金属製ワイヤー５，８を上記フック部材Ｆ内に挿通させて係合する事無く、一方の数字錠６及び他方の数字錠９を互いに挿通状態とすることにより、使用者は該金属製ワイヤー５，８，一方の数字錠６又は他方の数字錠９により形成され閉塞された空間内に手指を入れ、このヘルメット１を容易に持ち運びすることができる。
【００２４】
次に、上記のヘルメット１とは異なる実施の形態に係るヘルメット２１について説明する。このヘルメット２１も、図３又は図４に示すようにオートバイ運転時に着用するヘルメットであって、ヘルメット本体２２と、該ヘルメット本体２２の背面に位置するロック部材２３と、該ロック部材２３を該ヘルメット本体２２に対して背面方向に回動可能に支持する支持部２４と、を備える。上記ヘルメット本体２２は、上記ヘルメット１のヘルメット本体２と同様な構成であって、バイザー２２ａや首当て部２２ｂを備えている。また、上記ロック部材２３は、略角柱状で一端に後述する支持部２４の軸体２４ａが挿通する図示しない開口が形成されてなる把持部２３ａと、該把持部２３ａの他端において直角に折曲してなり開口２３ｃが形成されてなる挿入部２３ｂとからなる金属製の棒体であって、上述の通り、軸体２４ａにより上記ヘルメット本体２２に対して背面方向に回動可能に支持されている。なお、上記ロック部材２３の把持部２３ａに形成された側面の内、ヘルメット本体２２と対向する側面２３ｄは、使用者の該ロック部材２３を把持してのヘルメット２１の持ち運びに適した使用者の手指に合わせた波面状に形成されている。また、支持部２４は、上記ヘルメット本体２２の右側面寄りの背面側にて背面向きに起立した支持板２４ｂ，２４ｃからなるものであって、これら支持板２４ｂ，２４ｃは、上下に２枚互いに平行に取り付けられており、一端はヘルメット本体２２内に挿通されて強固に固定され、他端には上記軸体２４ａが挿通する開口（符号は省略する。）が形成されている。このため、上記ロック部材２３は、該ロック部材２３に形成された上記の開口及び該支持板２４ｂ，２４ｃに形成された上記の開口を挿通する軸体２４ａにより、上記ヘルメット本体２２に対し、図４（ａ）及び（ｂ）に示すように回動可能に支持されている。また、ヘルメット本体２２の左側面寄りの背面（上記支持部２４の起立の箇所とは中心線より略右左対称となる箇所）には、開口２５が形成されている。この開口２５は、図４に示すように、少なくとも上記ロック部材２３の挿入部２３ｂが挿入可能な大きさとされており、上述のように該ロック部材２３の挿入部２３ｂが回動しながら挿入することから、横長の長方形状となっている。また、上記開口２５の近傍には、鍵穴２６が形成されている。使用者は、この鍵穴２６に図示しない合鍵を挿入して回転することにより、上記ヘルメット本体２２に内蔵された図示しない施錠手段を施錠状態又は開錠状態に操作することができる。そして、施錠状態では上記開口２５内に挿入された上記ロック部材２３の開口２３ｃ内に図示しない施錠部材が挿入され、該ロック部材２３は上記ヘルメット本体２２に対して固定されるが、開錠状態では該開口２５内の図示しない施錠部材が退避し、該ロック部材２３は該ヘルメット本体２２に対して回動することができる。すなわち、上記ロック部材２３は、一端が上記支持部２４を介して上記ヘルメット本体２２に対して回動可能に取り付けられてなり、他端には開口２３ｃが形成されており、また、上記図示しない施錠手段が上記ヘルメット本体２２内の上記図示しない施錠部材が挿入されて係合され、この係合の状態は鍵穴２６により操作ができる施錠手段により保持される。また、上記図示しない施錠部材と開口２３ｃとが係合することにより、該ヘルメット本体２２，該ロック部材２３，上記支持部２４及び該図示しない施錠部材により閉塞された空間が形成され、上記図示しない施錠手段及び鍵穴２６により該空間が保持される。なお、上記開口２３ｃは、本発明を構成する一方の係合部であり、上記ロック部材２３は、本発明を構成する一方のロック部材であり、上記図示しない施錠部材は、本発明を構成する他方の係合部であり、上記図示しない施錠手段は、本発明を構成するロック手段である。
【００２５】
次に、以上の構成からなるヘルメット２１を盗難を防止して安全に保管する方法について説明する。先ず、使用者はヘルメット２１を保管する場所近傍に位置させる。そして、使用者は、上記鍵穴２６内に図示しない合鍵を挿入して回転して上記図示しない施錠手段を操作し、上記図示しない施錠部材を動かして上記開口２３ｃとの施錠を開錠し、上記ロック手段２３の他端を上記軸体２４ａにより図４（ｂ）中に示す矢印Ｂの向きに回動させ、上記のヘルメット２１を保管する場所に形成されているフック部材Ｆ内に上記ロック部材２２を挿通させる。そして、使用者は上記ロック部材２３を図４（ｂ）中の矢印Ａの向きに回動させ、該ロック部材２３の他端を上記開口２５内に挿入し、上記図示しない合鍵により上記ヘルメット本体２２内の図示しない施錠手段を作動させ、該ロック部材２３の開口２３ｃを該ヘルメット本体２２内の図示しない施錠部材と係合させて施錠状態とする。このような手段により、上記ヘルメット２１の必要な場所での盗難を防止した状態での保管を完了する。なお、ここでヘルメット２１の保管に用いたフック部材Ｆとしては、前記ヘルメット１の保管に用いたフック部材Ｆと同様に、Ｕ字状に屈曲した棒状体を図４中に示しているが、フック部材Ｆはこのようなものに限られるものではない。また、このような方法により保管するヘルメット２１の保管を終える際には、使用者は上記の図示しない合鍵を鍵穴２６内に挿入して回転させて上記図示しない施錠手段を開錠状態とし、上記ロック部材２３を図４（ｂ）中に示す矢印Ｂの向きに回動する。これにより、ヘルメット２１は、上記フック部材Ｆへの保管を終え、使用者は再びロック部材２３を図４（ｂ）中に示す矢印Ａの向きに回動し、上述の手段と同様に施錠する。なお、保管をする場合以外にも、使用者は上記ヘルメット本体２２と上記ロック手段２３との間に形成され閉塞された空間内に手指を入れ、このヘルメット２１を容易に持ち運びすることができる。この際、上述の通り、把持部２３ａの側面２３ｄには波面が形成されていることから、使用者はヘルメット２１は把持部２３ａの把持がし易いものとなっている。また、ここでは詳細を省略するが、上記把持部２３ａ上をゴム等の弾性材や（合成）皮革等の高摩擦力の素材により被覆することによって該把持部２３ａの把持がし易いものとしても良く、また、該把持部２３ａをより把持し易く見栄えのする形状にデザインされたものとしても良く、更に、該把持部２３ａの角部を曲面又は鈍角とし、他の物体や使用者と当接した際に損傷を起こし難い形状にデザインされたものとしても良い。なお、上記ヘルメット２１のロック手段２３を開口２５内に挿入し或いは外部に出すの操作の何れの場合にも、鍵穴２６内に図示しない合鍵を挿入して回動する操作が必要とされているが、挿入する際には上記のような合鍵の挿入及び回動の操作は不要なものとしても良く、また、該ロック手段２３と図示しない施錠手段との施錠の方法についても、該ロック手段２３に開口２３ｃを形成するものとせず、該ロック手段２３に形成された凹部と図示しない施錠部材とが嵌合することで係合するものとしても良い。
【００２６】
なお、上記ヘルメット２１では、ロック部材２３を金属製の角柱からなるものとしたが、該ロック部材２３はこのような一つの棒体からなるものとせず、複数の部材が組み合わされて曲折されてなる部材をロック部材としても良い。すなわち、ヘルメット３１は、図５又は図６に示すようにオートバイ運転時に着用するヘルメットであって、ヘルメット本体３２と、該ヘルメット本体３２の背面に位置するロック部材３３と、該ロック部材３３を該ヘルメット本体３２に対して背面方向に回動可能に支持する支持部３４と、を備える。上記ヘルメット本体３２は、上記ヘルメット１，２１のヘルメット本体２，２２と同様な構成であって、バイザー３２ａや首当て部３２ｂを備えている。また、上記ロック部材３３は、７つの略角柱状の金属製部材が軸体により互いに折曲されて折り畳み可能なものとされている。すなわち、上記ロック部材３３は、図６に示すように、長角柱３３ａ，３３ｂ，３３ｃ，３３ｄと、短角柱３３ｆ，３３ｇ，３３ｈと、軸体３３ｊ，３３ｋ，３３ｌ，３３ｍ，３３ｎ，３３ｏ，３３ｐとから構成されている。上記長角柱３３ａ，３３ｂ，３３ｃ，３３ｄ及び上記短角柱３３ｆ，３３ｇ，３３ｈの両端には、それぞれ図示しない開口が形成されており、該開口内にはそれぞれ上記軸体３３ｊ，３３ｋ，３３ｌ，３３ｍ，３３ｎ，３３ｏ，３３ｐが挿通することにより、これらは互いに回動可能とされている。すなわち、上記軸体３３ｊは、上記長角柱３３ａと上記支持部３４とを互いに回動可能とし、また、上記軸体３３ｋは、上記長角柱３３ａと上記短角柱３３ｆとを互いに回動可能とし、また、上記軸体３３ｌは、上記短角柱３３ｆと上記長角柱３３ｂとを互いに回動可能とし、また、上記軸体３３ｍは、上記長角柱３３ｂと上記短角柱３３ｇとを互いに回動可能とし、また、上記軸体３３ｎは、上記短角柱３３ｇと上記長角柱３３ｃとを互いに回動可能とし、また、上記軸体３３ｏは、上記長角柱３３ｃと上記短角柱３３ｈとを互いに回動可能とし、また、上記軸体３３ｐは、上記短角柱３３ｈと上記長角柱３３ｄとを互いに回動可能とする。なお、上記長角柱３３ｄの先端には、開口３３ｒが形成されており、後述する開口３５内に該長角柱３３ｄを挿入した場合には、該開口３３ｒ内には後述する図示しない施錠部材が挿入される。また、上記各長角柱３３ａ，３３ｂ，３３ｃ，３３ｄ及び短角柱３３ｆ，３３ｇ，３３ｈの長さについては、図６（ａ）に示すように、各長角柱３３ａ，３３ｂ，３３ｃ，３３ｄを２つ平行に並べた際の幅が、上記短角柱３３ｆ，３３ｇ，３３ｈの長さとほぼ一致するものとされている。このため、上記長角柱３３ａ，３３ｂ，３３ｃ，３３ｄと短角柱３３ｆ，３３ｇ，３３ｈとを互いに直交するように折曲することにより、ロック部材３３の全体を直方体状に折り畳んだ状態とすることができる。また、上記ロック部材３３を伸ばした際には、上記長角柱３３ａ，３３ｂ，３３ｃ，３３ｄ及び短角柱３３ｆ，３３ｇ，３３ｈの全長は、図６（ｂ）に示すように、後述する開口３５にまでに届く長さとされてなる。
【００２７】
また、支持部３４は、上記ヘルメット本体３２の右側面寄りの背面にて背面向きに起立した支持板３４ａ，３４ｂからなるものであって、これら支持板３４ａ，３４ｂは、上下に２枚互いに平行に取り付けられており、一端はヘルメット本体３２内に挿通されて強固に固定され、他端には上記軸体３３ｊが挿通する開口（符号は省略する。）が形成されている。このため、上記ロック部材３３は、該ロック部材３３の長角柱３３ａに形成された上記の開口及び該支持板３４ａ，３４ｂに形成された上記の開口を挿通する軸体３３ｊにより、上記ヘルメット本体３２に対し、図６（ａ）及び（ｂ）に示すように回動可能に支持されている。また、ヘルメット本体３２の左側面寄りの背面（上記支持部３４の起立の箇所とは中心線より略右左対称となる箇所）には、開口３５が形成されている。この開口３５は、図６（ａ）に示すように、少なくとも上記ロック部材３３の長角柱３３ｄが挿入可能な大きさで、正方形状とされている。また、上記開口３５の近傍には、鍵穴３６が形成されている。使用者は、この鍵穴３６に図示しない合鍵を挿入して回転することにより、上記ヘルメット本体３２に内蔵された図示しない施錠手段を施錠状態又は開錠状態に操作することができる。そして、施錠状態では上記開口３５内に挿入された上記ロック部材３３の長角柱３３ｄに形成された開口３３ｒ内に図示しない施錠部材が挿入されて係合され、この係合の状態は鍵穴３６により操作ができる施錠手段により保持され、該ロック部材３３は上記ヘルメット本体３２に対して固定されるが、開錠状態では該開口３５内の図示しない施錠部材が退避し、該ロック部材３３は該ヘルメット本体３２に対して回動することができる。また、上記図示しない施錠部材と開口３３ｒとが係合することにより、上記ヘルメット本体３２，該ロック部材３３，上記支持部３４及び該図示しない施錠部材により閉塞された空間が形成され、上記図示しない施錠手段及び鍵穴３６により該空間が保持される。また、上記ヘルメット本体３２の表面上であって、上記ロック部材３３及び支持部３４の近傍には、ロック部材保持具３７が位置している。上記ロック部材保持具３７は帯状のゴム板であって、一端（上端）は鋲３７ａにより上記ヘルメット本体３２に固定されており、他端（下端）はホック３７ｂにより上記ヘルメット本体３２に着脱自在とされており、図６（ａ）に示すようにロック部材３３を折曲して直方体状に折り畳んだ状態とし、該ロック部材３３の外周を巻回した上で該ロック部材保持具３７の下端をホック３７ｂにより上記ヘルメット本体３２の表面上に固定することにより、該ロック部材３３は全体を直方体状に折り畳んだ状態で該ヘルメット本体３２に対して係止される。なお、上記開口３３ｒは、本発明を構成する一方の係合部であり、上記ロック部材３３は、本発明を構成する一方のロック部材であり、上記図示しない施錠部材は、本発明を構成する他方の係合部であり、上記図示しない施錠手段は、本発明を構成するロック手段である。
【００２８】
次に、以上の構成からなるヘルメット３１を盗難を防止して安全に保管する方法について説明する。先ず、使用者はヘルメット３１を保管する場所近傍に位置させる。そして、使用者は、図６（ａ）に示すように直方体状に折り畳まれた上記ロック部材３３について、上記ロック部材保持具３７のホック３７ｂを外して該ロック部材３３を伸ばす。また、使用者は上記鍵穴３６内に図示しない合鍵を挿入して回転して上記図示しない施錠手段を操作し、上記図示しない施錠部材を動かして開錠する。そして、使用者は、上記ロック手段３３を適宜折曲又は伸長させながら、該ロック手段３３の他端（長角柱３３ｄ）を上記のヘルメット３１を保管する場所に形成されているフック部材Ｆ内に挿通させた上で、該ロック部材３３の他端を上記開口３５内に挿入し、上記図示しない合鍵により上記ヘルメット本体３２内の図示しない施錠手段を作動させ、該ロック部材３３の他端に位置する開口３３ｒを該ヘルメット本体３２内の図示しない施錠部材と係合させて施錠状態とする。このような手段により、図６（ｂ）に示すように、上記ヘルメット３１の必要な場所での盗難を防止した状態での保管を完了する。なお、ここでヘルメット３１の保管に用いたフック部材Ｆとしては、前記ヘルメット１，２１の保管に用いたフック部材Ｆと同様に、Ｕ字状に屈曲した棒状体を図６中に示しているが、フック部材Ｆはこのようなものに限られるものではない。また、このような方法により保管するヘルメット３１の保管を終える際には、使用者は上記の図示しない合鍵を鍵穴３６内に挿入して回転させて上記図示しない施錠手段を開錠状態とし、上記ロック部材３３の他端を上記開口３５から抜き出す。これにより、ヘルメット３１は、上記フック部材Ｆへの保管を終え、使用者は図６（ａ）に示すように、再び上記ロック部材３３を折り畳み、上記ロック部材保持具３７を該ロック部材３３に巻回させて下端を上記ホック３７ｂに留め、該ロック部材３３を固定する。なお、保管をする場合以外にも、使用者は上記の方法により上記ロック手段３３の他端を上記開口３５内に挿入して固定し、この操作によって上記ヘルメット本体３２と上記ロック手段３３との間に形成され閉塞された空間内に手指を入れ、このヘルメット３１を容易に持ち運びすることができる。また、ここでは詳細を省略するが、上記ロック部材３３を構成する上記長角柱３３ａ，３３ｂ，３３ｃ，３３ｄ及び短角柱３３ｆ，３３ｇ，３３ｈの表面上をゴム等の弾性材や（合成）皮革等の高摩擦力の素材により被覆することによって該長角柱３３ａ，３３ｂ，３３ｃ，３３ｄ及び短角柱３３ｆ，３３ｇ，３３ｈの把持がし易いものとしても良く、また、該長角柱３３ａ，３３ｂ，３３ｃ，３３ｄ及び短角柱３３ｆ，３３ｇ，３３ｈをより把持し易く見栄えのする形状にデザインされたものとしても良く、更に、該長角柱３３ａ，３３ｂ，３３ｃ，３３ｄ及び短角柱３３ｆ，３３ｇ，３３ｈの角部を曲面又は鈍角とし、他の物体や使用者と当接した際に損傷を起こし難い形状にデザインされたものとしても良い。なお、上記ヘルメット３１のロック手段３３を開口３５内に挿入する場合及び外部に出す場合の何れの操作の際にも、鍵穴３６内に図示しない合鍵を挿入して回動する操作が必要とされているが、挿入する際には上記のような合鍵の挿入及び回動の操作は不要なものとしても良く、また、該ロック手段３３と図示しない施錠手段との施錠の方法についても、該ロック手段３３に開口３３ｒを形成するものとせず、該ロック手段３３の長角柱３３ｄに形成された凹部と図示しない施錠部材とが嵌合することで係合するものとしても良い。
【００２９】
このように、上記ヘルメット２１又はヘルメット３１では、該ヘルメット２１のヘルメット本体２２又はヘルメット３１のヘルメット本体３２の表面上に、該ヘルメット本体２２又は該ヘルメット本体３２とは全く異なる部材であって、該ヘルメット本体２２又は該ヘルメット本体３２を保管する際に機能する部材としてロック部材２３，３３を別に設ける構成とされているが、これとは異なり、ヘルメットを構成するヘルメット本体自体の該形の一部が可動するものとされ、このヘルメット本体の一部をロック部材として用いるものとしても良い。すなわち、ヘルメット４１は、図７又は図８に示すようにオートバイ運転時に着用するヘルメットであって、ヘルメット本体４２と、該ヘルメット本体４２の正面に位置するロック部材４３と、を備える。上記ヘルメット本体４２は、上記ヘルメット１，２１，３１のヘルメット本体２，２２，３２と類似するものであるが、特に、該ヘルメット本体２，２２，３２の正面での構成に相違がある。すなわち、上記ヘルメット本体２，２２，３２は、使用者の頭部全体を覆ういわゆるフルフェイス型のヘルメットであるのに対し、このヘルメット本体４２は、使用者の頭部のうち、顔面正面（特に、鼻及び口）の部分に付いては外部に対して開放されるいわゆるジェット型のヘルメットであって、バイザー４２ａや首当て部４２ｂを備えるとともに、蝶番部材４４を介してロック部材４３が該使用者の顔面正面に回動することにより、外観上はフルフェイス型のヘルメットとなるものである。すなわち、上記ロック部材４３は、蝶番部材４４を介して該ヘルメット本体４２に対して回動可能に取り付けられるものであって、上記の通り上記ヘルメット本体４２の正面に位置し、或いは、回動することで該ヘルメット本体４２の右側面方向に位置するものであって、一般的なフルフェイス型のヘルメットの正面側端部のような形状となっている。したがって、上記の通り、上記ロック部材４３を上記ヘルメット本体４２の正面に位置させることにより、図７及び図８（ａ）に示すように、上記ヘルメット４１は全体としていわゆるフルフェイス型のヘルメットとなるとともに、該ロック部材４３を介して該ヘルメット本体４２に対してロック部材４３を回動することにより、図８（ｂ）に示すような状態となる。なお、上記ロック部材４３の右側端には、後述する施錠部材４６ａが挿入される開口４３ａが形成されている。また、ヘルメット本体４２の右側面の前端近傍には、鍵穴４６が形成されている。使用者は、この鍵穴４６に図示しない合鍵を挿入して回転することにより、上記ヘルメット本体４２に内蔵された図示しない施錠手段を施錠状態又は開錠状態に操作することができ、上記図示しない施錠手段を施錠状態とした場合には、上記鍵穴４６近傍の右側面前端から施錠部材４６ａが該ヘルメット本体４２から突出し、開錠状態とした場合には、該施錠部材４６ａは該ヘルメット本体４２内に収納される。そして、上記の図示しない施錠手段を施錠状態とすることで突出した施錠部材４６ａは、上記ロック部材４３の開口４３ａ内に挿入されることから、該ロック部材４３は上記ヘルメット本体４２に対して固定されて保持され、また、該施錠手段を開錠状態とすることにより施錠部材４６ａが該ヘルメット本体４２内に収納されることから、該ロック部材４３は該ヘルメット本体４２に対して回動可能とされる。なお、図８（ｂ）に示すようにロック部材４３を回動した状態では、上記施錠部材４６ａが上記ヘルメット本体４２から突出することはないため、図８（ｂ）では施錠部材４６ａを点線により表す。また、上記開口４３ａと上記施錠部材４６ａとが係合して上記ヘルメット本体４２の正面に保持されることにより、該ヘルメット本体４２及び該ロック部材４３により、上記バイザー４２ａ内の開口４２ｃ（上記ヘルメット４１を着用した際に、使用者の視界を得るために眼前に形成された開口）に閉塞された空間が形成され、上記施錠部材４６ａ及び図示しない施錠手段により該空間が保持される。なお、上記開口４３ｃは、本発明を構成する一方の係合部であり、上記ロック部材４３は、本発明を構成する一方のロック部材であり、上記施錠部材４６ａは、本発明を構成する他方の係合部であり、上記図示しない施錠手段は、本発明を構成するロック手段である。
【００３０】
次に、以上の構成からなるヘルメット４１を盗難を防止して安全に保管する方法について説明する。先ず、使用者はヘルメット４１を保管する場所近傍に位置させる。そして、使用者は、上記鍵穴４６内に図示しない合鍵を挿入して回動して上記図示しない施錠手段を操作し、上記施錠部材４６ａを上記ヘルメット本体４２の内部に収納して開錠する。そして、使用者は、上記ロック手段３３を上記ヘルメット本体４２に対して回動させ、図８（ｂ）に示すように、ヘルメット本体４２とロック部材４３との間に柱体Ｂが位置するように上記ヘルメット４１を動かす。この場合、上記ヘルメット４１と柱体Ｂとの位置関係は、上記バイザー４２ａは該ヘルメット４１の頭頂方向に動かされ、柱体Ｂは上記開口４２ｃ内を通るものとされる。そして、使用者は上記ロック部材４３を回動させ、再び該ロック部材４３を上記ヘルメット本体４２の正面に位置させ、上記鍵穴４６内に図示しない合鍵を挿入して回動して図示しない施錠手段を操作し、上記施錠部材４６ａを上記ヘルメット本体４２より突出させて上記開口４３ａ内に挿入して施錠状態とする。このような手段により、上記ヘルメット４１の必要な場所での盗難を防止した状態での保管を完了する。なお、ここでヘルメット４１の保管に用いた柱体Ｂとしては、前記ヘルメット１，２１，３１のロック部材３，４，２３，３３に比べ、ロック部材４３が大きなものであることから、該ヘルメット１，２１，３１の保管に用いたフック部材Ｆより大きなものを用いられており、道路標識を構成する円柱のような柱体Ｂを図８中に示している。しかし、上記柱体Ｂはこのようなものに限られるものではなく、オートバイのフレーム，家屋や店舗や駐輪場の建屋を構成する柱体或いは電信柱等でも良く、上記のように開口４２ｃ内に通することができ、かつ、地面や建物に強固に固定されているものであればどのようなものでも上記の柱体Ｂと同様に扱っても良い。また、このような方法により保管するヘルメット４１の保管を終える際には、使用者は上記の図示しない合鍵を鍵穴３６内に挿入して回転させて上記図示しない施錠手段を開錠状態とし、上記施錠部材４６ａを上記ヘルメット本体４２内に収納し、上記ロック部材４３を回動させる。これにより、ヘルメット４１は、上記柱体Ｂへの保管を終え、使用者は図８（ａ）に示すように、再び上記ロック部材４３を回動させ、施錠部材４６ａを開口４３ａ内に挿入し、該ロック部材３３を固定する。なお、保管をする場合以外にも、使用者は上記ヘルメット本体４２と上記ロック手段４３との間に形成され閉塞された空間である開口４２ｃ内に手指を入れ、このヘルメット４１を容易に持ち運びすることができる。また、ここでは詳細を省略するが、上記４３ｃの表面上をゴム等の弾性材により被覆することにより、より該開口４３ｃの把持がし易いものとしても良い。なお、図８（ｂ）に示すように回動されていた上記ヘルメット４１のロック手段４３を図８（ａ）に示すように上記ヘルメット本体４２の正面に保持する操作の場合には、鍵穴４６内に図示しない合鍵を挿入して回動する操作が必要とされているが、このように回動されていたロック部材４３を該ヘルメット本体４２の正面に位置させる際には上記のような合鍵の挿入及び回動の操作は不要なものとして、自動的に施錠部材４６ａが退避した後に上記開口４３ａ内に挿入されるものとしても良い。
【００３１】
また、上記のヘルメット１，２１，３１，４１の何れもが、上記第１の発明の実施例であって、該第１の発明を構成する一方のロック部材に相当する部材（一方の数字錠６及びロック部材２３，３３，４３）と他方のロック部材に相当する部材（他方の数字錠９及び図示しない施錠手段）とが互いに係合し、該一方のロック部材及び他方のロック部材が係合する係合部には、これらが係合した状態を保持する第１の発明を構成するロック手段が取り付けられている。すなわち、これら上記第１の発明の実施例に係る上記ヘルメット１，２１，３１，４１では、上記一方のロック部材と他方のロック部材の端部（ヘルメット本体に取り付けられてなる端部とは逆の端部）においてロック手段が作用するものであるが、このように上記一方のロック部材と他方のロック部材の端部においてロック手段が作用するものとせず、上記第２の発明のように、一方のロック部材と他方のロック部材とが係合した状態においてこの係合した状態を保持するロック手段が該一方のロック部材及び／又は他方のロック部材それぞれの一端に、該一方のロック部材と他方のロック部材とが係合した状態を保持するロック手段が取り付けられるものとしても良い。すなわち、上記第２の発明の実施例であるヘルメット５１も、図９に示すようにオートバイ運転時に着用するヘルメットであって、ヘルメット本体５２と、該ヘルメット本体５２の右側面に位置するロック部材５３と、該ロック部材５３を該ヘルメット本体５２に対して正面方向及び背面方向にスライド可能に支持する支持部５４と、を備える。上記ヘルメット本体５２は、上記ヘルメット１，２１，３１のヘルメット本体２，２２，３２に類似した構成であって、バイザー５２ａや首当て部５２ｂを備えており、また、右側面下端周辺には、切欠き部５２ｃが形成されている。また、上記切欠き部５２ｃの背面側端部に当たる上記ヘルメット本体５２の断面であって、上記ロック部材５３を背面側にスライドさせた際に該ロック部材５３の背面側端部が当接する箇所には、該ロック部材５３が挿入可能な開口５２ｄが形成されている。
【００３２】
また、上記ロック部材５３は、断面が円形の棒体とされるとともに、中途部において外部に（上記ヘルメット本体５２の右側面の外側に）向けてつまみ部５３ａが突出している。また、上記支持部５４は、上記ヘルメット本体５２の右側面下端であって上記切欠き部５２ｃの前端近傍に固定されている。この支持部５４は、上記の通り、上記ロック部材５３を上記ヘルメット本体５２の正面方向及び背面方向にスライド可能に支持している。また、上記支持部５４の下端側中途部には、水平方向に開口５４ａが形成されている。この開口５４ａからは、上記ロック部材５３のつまみ部５３ａが右向きに突出しており、使用者は該つまみ部５３ａを操作してロック部材５３を正面方向及び背面方向に動かす操作をすることができる。また、上記支持部材５４内には、該支持部材５４の上端に表れた４つの円環体５４ｂにより操作され、上記ロック部材５３の位置を保持する図示しない施錠手段が内蔵されている。なお、上記４つの円環体５４ｂは上記ヘルメット１の円環体６ｂと同様なものであって、表面にはそれぞれ数字が記載されており（図中では数字は省略する）、使用者が該数字を既定の組み合わせとなるように操作することにより、上記ロック部材５３の位置を保持することができる。したがって、使用者は、上記つまみ部５３ａを操作してロック部材５３を正面方向又は背面方向に動かした後、上記円環体５４ｂを表示された数字にあわせて回転することにより、該ロック部材５３の位置を開錠状態又は施錠状態の位置に保持することができる。すなわち、上記ロック部材５３は、施錠状態では、上記ロック部材５３の背面側端部を、上記切欠き部５２ｃの後端側端部に当たるヘルメット本体５２の断面に形成された上記開口５２ｄ内に挿入されて保持されることにより、図９（ｂ）に示す状態とされ、また、開錠状態では、図示しないが、該ロック部材５３は正面方向に移動された状態となる。したがって、上記開口５２ｄと上記ロック部材５３とが係合することにより、該ヘルメット本体５２の切欠き部５２ｃ，該ロック部材５３及び開口５２ｄにより閉塞された空間が形成され、該ロック部材５３の一端（つまり、支持部５４が位置する該ロック部材５３の正面側端部）に取り付けられてなる上記支持部５４（特に、該支持部５４に内蔵された上記円環体５４ｂにより操作可能な図示しない施錠手段）により該空間が保持される。そして、このように上記閉塞された空間を形成することにより、上記ヘルメット５１の下方から上記切欠き部５２ｃ内に他の部材が挿入されることが阻害されるとともに、該切欠き部５２ｃ内に挿入されていた他の部材が該ヘルメット５１の下方から外に出されることをも阻害される。なお、上記ロック部材５３は、本発明を構成する一方のロック部材であり、該ロック部材５３の背面側端部であって上記開口５２ｄ内に挿入されて係合する部分は、本発明を構成する一方の係合部であり、該開口５２ｄは、本発明を構成する他方のロック部材及び他方の係合部であり、上記支持部５４（特に、該支持部５４に内蔵された上記円環体５４ｂにより操作可能な図示しない施錠手段）は、本発明を構成するロック手段である。
【００３３】
次に、以上の構成からなるヘルメット５１を盗難を防止して安全に保管する方法について説明する。先ず、使用者はヘルメット５１を保管する場所近傍に位置させる。そして、使用者は、上記支持部５４の円環体５４ｂを操作して既定の数字の組み合わせにして上記図示しない施錠手段を開錠状態とし、上記ロック部材５３を上記つまみ部５３ａにより上記ヘルメット５１の正面側に移動させる。そして、使用者は、図９には図示されないが、上記図２，図４又は図６に示すフック部材Ｆのような部材を上記切欠き部５２ｃ内に入れ、次いで、上記つまみ部５３ａを操作して、上記ロック部材５３を該フック部材Ｆ内に挿入しつつ、背面側に動かし、該ロック部材５３の背面側端部を上記開口５２ｄ内に挿入し、さらに、上記円環体５４ｂにより上記図示しない施錠手段を操作して該ロック部材５３の位置を保持する施錠状態とする。このような手段により、上記ヘルメット５１の必要な場所での盗難を防止した状態での保管を完了する。また、このような方法により保管するヘルメット５１の保管を終える際には、使用者は上記円環体５４ｂにより上記図示しない施錠手段を操作して開錠状態とし、上記ロック部材５３を該ヘルメット５１の正面側に移動させる。これにより、ヘルメット５１は、上記フック部材Ｆへの保管を終え、使用者は再び該円環体５４ｂにより該図示しない施錠手段を施錠状態とする。なお、保管をする場合以外にも、使用者は上記ヘルメット本体５２の切欠き部５２ｃと上記ロック手段２３との間に形成され閉塞された空間内に手指を入れ、このヘルメット５１を容易に持ち運びすることができる。また、ここでは詳細を省略するが、上記切欠き部５２ｃ及びロック部材５３の表面上をゴム等の弾性材により被覆することにより、より該切欠き部５２ｃ及びロック部材５３の把持がし易いものとしても良い。なお、上記ヘルメット５１のロック手段５３を開口５２ｄ内に挿入し或いは外部に出すの操作の何れの場合にも、上記円環体５４ｂによる図示しない施錠手段の操作が必要とされているが、挿入する際には上記のような合鍵の挿入及び回動の操作は不要なものとしても良く、該ロック部材５３を該開口５２ｄから出す操作の際にのみ該円環体５４ｂによる図示しない施錠手段の操作を必要とするものとしても良い。
【００３４】
また、上記のヘルメット１，２１，３１，４１，５１の何れもが、上記第１又は第２の発明の実施例であって、該第１及び第２の発明を構成する一方のロック部材に相当する部材（一方の数字錠６及びロック部材２３，３３，４３，５３）と、他方のロック部材に相当する部材（他方の数字錠９，図示しない施錠手段及び開口５２ｄ）とが互いに係合するものであって、これら一方及び他方のロック部材はそれぞれ別々の異なる部材からなる。しかしながら、これら一方及び他方のロック部材のように２つのロック部材を用いるのではなく、上記第３の発明のように、一つのロック部材を用い、かつ、該一つのロック部材の両端に形成された一方及び他方の係合部が係合し、ヘルメット本体と該一つのロック部材が閉塞された空間を形成するものとしても良い。すなわち、上記第３の発明の実施例であるヘルメット６１は、図１０に示すようにオートバイ運転時に着用するヘルメットであって、ヘルメット本体６２と、ロック部材６３と、を備える。上記ヘルメット本体６２は、上記ヘルメット１，２１，３１，５１のヘルメット本体２，２２，３２，５２に類似した構成であって、バイザー６２ａや首当て部６２ｂを備えており、また、該ヘルメット本体６２の正面側の右左にはそれぞれ開口６２ｃ，６２ｄが形成されており、これら開口６２ｃ，６２ｄは該ヘルメット本体６２の内部で互いに連通している。また、上記ロック部材６３は、一端及び他端それぞれに、互いに対応する一方の係合部６３ａ及び他方の係合部６３ｂが形成されており、これら一方の係合部６３ａ及び他方の係合部６３ｂ間の中途部６３ｃは金属製のチェーンからなる。上記一方の係合部６３ａ及び他方の係合部６３ｂは、前記ヘルメット１の一方の数字錠６と他方の数字錠９と同様な構成からなるものである。すなわち、上記一方の係合部６３ａには、上記一方の数字錠６のシリンダー開口６ａ及び４つの円環体６ｂと同様に、４つの円環体（符号は省略する。）及び図示しない開口を備えており、該円環体に書された数字（図中では、数字は省略する。）が所定の組み合わせとされた場合にのみ、該開口内に後述する他方の係合部６３ｂが備えるシリンダーの着脱が可能な状態となる。また、上記の他方の係合部６３ｂは、上記他方の数字錠９のシリンダー９ａと同様に、図示しないシリンダーを備えており、上述の通り、該シリンダーは上記一方の係合部６３ａの開口内に着脱可能とされている。そして、上記一方の係合部６３ａの開口内に上記他方の係合部６３ｂのシリンダーを挿入することで該一方の係合部６３ａと他方の係合部６３ｂとは係合した状態となり、この状態で上記の円環体を適宜回転して、該円環体の数字を上記の所定の組み合わせとは異なる数字となった状態とすることにより、上記の係合の状態を保持した状態となり、この場合、ヘルメット本体６２及びロック部材６３により、閉塞された空間を形成する。また、上記ロック部材６３の中途部６３ｃは、上述の通り、上記ヘルメット本体６２に形成された開口６２ｃ，６２ｄを介して該ヘルメット本体６２内に挿通されており，このため、該ロック部材６３は非常に強固に該ヘルメット６２に固定がなされている。また、上記ヘルメット本体６２の表面上には、ロック部材保持具６４，６５が位置している。上記ロック部材保持具６４，６５は帯状のゴム板であって、一端（上端）は鋲６４ａ，６５ａによりヘルメット本体６２に固定されており、他端（下端）はホック６４ｂ，６５ｂによりヘルメット本体６２に着脱自在とされており、図１０に示すようにロック部材６３の中途部６３ｃ上に重ねて該ロック部材保持具６４の下端をホック６４ｂ，６５ｂにより上記ヘルメット本体６２の表面上に固定することにより、該ロック部材６３の中途部を該ヘルメット本体６２に対して係止される。なお、上記ロック部材６３は、本発明を構成する挿通ロック部材であり、また、上記ロック部材６３の両端にはそれぞれ一方の係合部６３ａ及び他方の係合部６３ｂが形成されているが、これら一方の係合部６３ａ及び他方の係合部６３ｂは互いに係合した状態を保持する錠前の機能を有しており、本発明のロック手段でもある。
【００３５】
次に、以上の構成からなるヘルメット６１を盗難を防止して安全に保管する方法について説明する。先ず、使用者はヘルメット６１を保管する場所近傍に位置させる。そして、使用者は、係合した状態を保持されている上記一方の係合部６３ａ及び他方の係合部６３ｂについて、該一方の係合部６３ａの円環体を操作して開錠状態とすることにより係合を解除する。そして、使用者は、図１０には図示されないが、上記図２，図４又は図６に示すフック部材Ｆのような部材の中に、上記一方の係合部６３ａ又は他方の係合部６３ｂの何れかを挿通させる。そして、使用者は上記一方の係合部６３ａの４つの円環体を回転させて数字を合わせて開錠状態とし、上記他方の係合部６３ｂのシリンダーを該一方の係合部６３ａのシリンダー開口内に挿通させて係合させ、次いで該円環体を任意に回転させることにより、該一方の係合部６３ａと該他方の係合部６３ｂとを施錠状態とする。このような手段により、上記ヘルメット６１の必要な場所での盗難を防止した状態での保管を完了する。なお、このように保管する際の上記ヘルメット６１と上記フック部材との距離が離れている場合等、必要に応じて上記ロック部材保持具６４のホック６４ｂを外すことにより、上記ヘルメット本体６２及びロック部材６３により閉塞された空間をより大きなものに調節することができる。また、このような方法により保管するヘルメット６１の保管を終える際には、使用者は上記一方の係合部６３ａの４つの円環体を回転させて所定の数字に合わせて開錠状態とし、他方の係合部６３ｂのシリンダーを該一方の係合部６３ａのシリンダー開口内から取り出す。これにより、ヘルメット６１は、上記フック部材Ｆへの保管を終え、使用者は、上記一方の係合部６３ａ及び他方の係合部６３を該ヘルメット６１の背面側にて施錠状態とし、また、必要に応じてロック部材保持具６４によりロック部材６３を上記ヘルメット本体６２の表面上に固定する。なお、保管をする場合以外にも、図１０に示すように上記ヘルメット６１の背面側において上記一方の係合部６３ａ及び他方の係合部６３ｂを施錠状態とした場合には、使用者は上記ヘルメット本体６２及び上記ロック部材６３により形成され閉塞された空間内に手指を入れ、このヘルメット６１を容易に持ち運ぶことができる。
【図面の簡単な説明】
【００３６】
【図１】本発明の第１の実施の形態に係るヘルメットを示す正面図，側面図及び背面図である。
【図２】本発明の第１の実施の形態に係るヘルメットを示す斜視図である。
【図３】本発明の第２の実施の形態に係るヘルメットを示す正面図，側面図及び背面図である。
【図４】本発明の第２の実施の形態に係るヘルメットを示す斜視図である。
【図５】本発明の第３の実施の形態に係るヘルメットを示す正面図，側面図及び背面図である。
【図６】本発明の第３の実施の形態に係るヘルメットを示す斜視図である。
【図７】本発明の第４の実施の形態に係るヘルメットを示す正面図，側面図及び背面図である。
【図８】本発明の第４の実施の形態に係るヘルメットを示す斜視図である。
【図９】本発明の第５の実施の形態に係るヘルメットを示す正面図，側面図及び背面図である。
【図１０】本発明の第６の実施の形態に係るヘルメットを示す正面図，側面図及び背面図である。
【符号の説明】
【００３７】
１    ヘルメット
２    ヘルメット本体
３    一方のロック部材
４    他方のロック部材
５    金属製ワイヤー
６    一方の数字錠
８    金属製ワイヤー
９    他方の数字錠
９ａ    シリンダー
２１    ヘルメット
２２    ヘルメット本体
２３    ロック部材
２５    開口
３１    ヘルメット
３２    ヘルメット本体
３３    ロック部材
３５    開口
３７    ロック部材保持具
４１    ヘルメット
４２    ヘルメット本体
４３    ロック部材
４６ａ    施錠部材
５１    ヘルメット
５２    ヘルメット本体
５２ｃ    切欠き部
５２ｄ    開口
５３    ロック部材
５４    支持部
６１    ヘルメット
６２    ヘルメット本体
６３    ロック部材
６３ａ    一方の係合部
６３ｂ    他方の係合部
６３ｃ    中途部
６４    ロック部材保持具
【図１】
2007154351.tif 000003
【図２】
2007154351.tif 000004
【図３】
2007154351.tif 000005
【図４】
2007154351.tif 000006
【図５】
2007154351.tif 000007
【図６】
2007154351.tif 000008
【図７】
2007154351.tif 000009
【図８】
2007154351.tif 000010
【図９】
2007154351.tif 000011
【図１０】
2007154351.tif 000012